(57)【要約】【課題】ページングチャネルに関してメッセージが移動局に送信される頻度を決定するための方法及び装置【解決手段】ページングチャネルに関してメッセージが送信される回数を決定するために、通信システム（１００）内で使用するための方法及び装置が提供される。コントローラ（２１０、４０１）は、通信システム（１００）のページングチャネルに関して一般ページメッセージを受信するために移動局（１０２、１０３、１０４）を選択する。トランシーバ（４００）は移動局からページ応答メッセージを受信するまでの回数だけ移動局に一般ページメッセージを送信する。コントローラ（２１０、４０１）は、一般ページメッセージが移動局に送信される回数に基づき、ページ応答メッセージの受信後に、チャネル割り当てメッセージが移動局に送信される最大回数を決定する。トランシーバ（４００）は、決定された最大回数になるまで移動局に対しチャネル割り当てメッセージを送信する。
2005528864.tif 000002
【特許請求の範囲】
【請求項１】
ページングチャネルに関してメッセージを送信するための方法であって、
前記ページングチャネルに関して前記メッセージを受信するために移動局を選択することと、
前記移動局が前記ページングチャネルに関して受信するために受信ダイバーシティを使用しているかどうかに基づき、前記メッセージが前記ページングチャネルに関して前記移動局に送信される回数を求めることと、
を備える、方法。
【請求項２】
前記求められた回数になるまで前記移動局に前記メッセージを送信することをさらに備える、請求項１に記載の方法。
【請求項３】
前記メッセージは一般的なページメッセージであることを特徴とする、請求項１に記載の方法。
【請求項４】
前記メッセージはチャネル割り当てメッセージであることを特徴とする、請求項１に記載の方法。
【請求項５】
前記メッセージは一般的なページメッセージであり、
ページ応答メッセージを受信する前に前記一般的なページメッセージが前記移動局に送信される回数を求めることと、
前記一般的なページメッセージが送信される前記回数に基づいて、前記ページ応答メッセージを受信した後にチャネル割り当てメッセージが前記移動局に送信される回数を求めることと、
をさらに備えることを特徴とする、請求項２に記載の方法。
【請求項６】
前記求められた回数になるまで前記チャネル割り当てメッセージを送信することをさらに備える、請求項５に記載の方法。
【請求項７】
ページングチャネルに関してメッセージを送信するための装置であって、
前記ページングチャネルに関して前記メッセージを受信するために移動局を選択するとともに、前記移動局が受信ダイバーシティを使用しているかどうかに基づいて前記ページングチャネルに関して前記メッセージが前記移動局に送信される回数を求めるためのコントローラを備える、装置。
【請求項８】
前記求められた回数になるまで前記移動局に対して前記メッセージを送信するための送信機をさらに備える、請求項７に記載の装置。
【請求項９】
前記メッセージは一般的なページメッセージであることを特徴とする、請求項７に記載の装置。
【請求項１０】
前記メッセージはチャネル割り当てメッセージであることを特徴とする、請求項７に記載の装置。
【請求項１１】
前記メッセージは一般的なページメッセージであり、
前記一般的なページメッセージを前記送信することに応えて、ページ応答メッセージを受信するための受信機をさらに備え、
前記コントローラは、さらに、前記ページ応答メッセージを受信する前に前記一般的なページメッセージが前記移動局に送信される回数を求めるとともに、前記一般的なページメッセージが送信される前記回数に基づいて、前記ページ応答メッセージの受信に続いて、チャネル割り当てメッセージが前記移動局に送信される回数を求めることを特徴とする、請求項８に記載の装置。
【請求項１２】
前記送信機は、さらに前記求められた回数になるまで前記チャネル割り当てメッセージを送信するためであることを特徴とする、請求項１１に記載の装置。
【請求項１３】
通信システムのための方法であって、
前記通信システムのページングチャネルに関して一般的なページメッセージを受信するために移動局を選択することと、
前記移動局からページ応答メッセージを受信するまでの回数だけ前記移動局に前記一般ページメッセージを送信することと、
前記一般的なページメッセージが前記移動局に送信される回数に基づいて、前記ページ応答メッセージの受信に続いて、チャネル割り当てメッセージが前記移動局に送信される最大回数を求めることと、
を備える、通信システムのための方法。
【請求項１４】
前記求められた最大回数になるまで前記移動局に前記チャネル割り当てメッセージを送信することをさらに備える、請求項１３に記載の方法。
【請求項１５】
通信システムで使用するための装置であって、
前記通信システムのページングチャネルに関して一般的なページメッセージを受信するために移動局を選択するためのコントローラと、
前記移動局からページ応答メッセージを受信するまでの回数だけ前記移動局に前記一般的なページメッセージを送信するためのトランシーバと、
を備え、
前記コントローラは、さらに、前記一般的なページメッセージが前記移動局に送信される回数に基づき、前記ページ応答メッセージの受信に続いて、チャネル割り当てメッセージが前記移動局に送信される最大回数を求めることを特徴とする、装置。
【請求項１６】
前記トランシーバは、さらに、前記求められた最大回数になるまで前記移動局に前記チャネル割り当てメッセージを送信することを特徴とする、請求項１５に記載の装置。
【発明の詳細な説明】
【技術分野】
【０００１】
本発明は概して通信の分野に関し、さらに詳細には受信ダイバーシティ技法を使用する通信に関する。
【背景技術】
【０００２】
送信機と受信機間の通信チャネルは、雑音、干渉及びマルチパスの影響を受けやすい。受信信号を強化するために受信側宛先で複数のアンテナが使用されてよい。それぞれのアンテナで受信される信号のための受信機チェーンが必要となる場合がある。したがって、複数の受信アンテナで受信される信号を利用するには複数の受信機チェーンが必要とされる場合がある。
【０００３】
送信機は、メッセージがエラーなく受信される確率を改善するために受信機に複数回メッセージを送信してよい。受信チャネルの処理は受信信号を合成することにより受信機ダイバーシティを使用して達成されてよい。信号が受信機で合成されると、チャネルの実効搬送波対雑音比はチャネルを処理するために必要とされる最小レベルを超えたレベルまで高められてよい。その結果として、送信機はメッセージ誤り率に影響を及ぼさずにより少ない回数メッセージを送信してよい。メッセージ送信回数を削減することにより、送信機はさらに多くの数の異なるメッセージを送信できる、あるいは他の受信機のために干渉レベルを削減できる。したがって、移動局において受信ダイバーシティを使用すると、通信システムの信頼性が改善され、容量が増加される。
【発明の開示】
【発明が解決しようとする課題】
【０００４】
上記の目的あるいは他の目的を鑑みると、通信システムの多様なチャネルに関してメッセージが送信される回数を決定することに対するニーズがある。
【課題を解決するための手段】
【０００５】
メッセージがページングチャネルに関して送信される回数を決定するために、通信システムで使用するための方法及び装置が提供される。コントローラは、通信システムのページングチャネルで一般ページメッセージを受信するために移動局を選択する。トランシーバは、移動局からページ応答メッセージを受信するまでの回数だけ移動局に対し一般ページメッセージを送信する。コントローラは、一般ページメッセージが移動局に送信される回数に基づき、ページ応答メッセージの受信に続いて、チャネル割り当てメッセージが移動局に送信される最大数を決定する。トランシーバは、決定された最大回数になるまで移動局にチャネル割り当てメッセージを送信する。移動局に送信される一般ページメッセージの回数は、移動局が受信ダイバーシティを使用しているかどうかに基づいて決定されてよい。
【０００６】
本発明の特徴、目的及び利点は、図面を参照して以下に述べられる詳細な説明からより明らかになるであろう。同一の参照符号は明細書全体にわたって同一のものを示すのに使用されている。
【発明を実施するための最良の形態】
【０００７】
概説するならば、移動局と基地局間の通信はメッセージの複数回の伝送によって達成されてよい。送信回数は、本発明の多様な態様に従って、移動局が受信ダイバーシティを使用しているときに制御され、最小限に抑えられる。伝送はページングチャネルに関してあってよい。メッセージは、一般ページメッセージ、あるいはチャネル割り当てメッセージであってよい。ここに説明されている１つ以上の例示的な実施形態は、デジタル無線通信システムとの関連で述べられている。この関連における使用は有利である一方、本発明の異なる実施形態は異なる環境または構成に組み込まれてよい。一般的には、ここに説明されている多様なシステムはソフトウェアにより制御されるプロセッサ、集積回路または離散論理回路を使用して形成されてよい。有利なことに、アプリケーション全体で参照されてよいデータ、命令、コマンド、情報、信号、記号及びチップは、電圧、電流、電磁波、磁場または磁性粒子、光の場または光学的粒子、あるいはその組み合わせにより表わされてよい。加えて、それぞれのブロック図に図示されているブロックはハードウェアまたは方法のステップを表わしてよい。
【０００８】
本発明の多様な実施形態は、通信工業会（ＴＩＡ）及び他の規格組織により公表されている多様な規格に開示、説明されている符号分割多元接続（ＣＤＭＡ）技法に従って動作している無線通信システムに組み込まれてよい。このような規格は、すべて参照してここに組み込まれるＴＩＡ／ＥＩＡ−９５規格、ＴＩＡ／ＥＩＡ−ＩＳ−２０００規格、ＩＭＴ−２０００規格、ＵＭＴＳ及びＷＣＤＭＡ規格を含む。データの通信のためのシステムは参照してここに組み込まれる「ＴＩＡ／ＥＩＡ／ＩＳ−８５６ｃｄｍａ２０００高速パケットデータエアインタフェース仕様書（Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ）」にも詳説されている。規格のコピーは、アドレスｈｔｔｐ：／／ｗｗｗ．３ｇｐｐ２．ｏｒｇのワールドワイドウェブにアクセスするか、あるいはＴＩＡ、規格技術部門（Ｓｔａｎｄａｒｄｓ  ａｎｄ  Ｔｅｃｈｎｏｌｏｇｙ  Ｄｅｐａｒｔｍｅｎｔ）、アメリカ合衆国、バージニア州２２２０１、アーリントン、ウィルソン・ブルーバード２５００（２５００  Ｗｉｌｓｏｎ  Ｂｏｕｌｅｖａｒｄ、Ａｒｌｉｎｇｔｏｎ、ＶＡ２２２０１、Ｕｎｉｔｅｄ  Ｓｔａｔｅｓ  ｏｆ  Ａｍｅｒｉｃａ）に手紙を書くことによって入手できる。一般的にＵＭＴＳ規格として特定され、参照してここに組み込まれる規格は、３ＧＰＰサポートオフィス、６５０、Ｒｏｕｔｅ  ｄｅｓ  Ｌｕｃｉｏｌｅｓ−Ｓｏｐｈｉａ  Ａｎｔｉｐｏｌｉｓ，  Ｖａｌｂｏｎｎｅ−Ｆｒａｎｃｅに連絡することにより入手できる。
【０００９】
概説するならば、本発明の多様な態様は移動局へのメッセージの伝送回数を制限することによりＣＤＭＡ通信システムでの通信の効率的な使用を提供する。本発明の少なくとも１つの態様に従って、伝送の回数は、受信側移動局が受信ダイバーシティを使用しているかどうかに基づいている。したがって、受信ダイバーシティを使用することにより、さらに多くのユーザに対応するためにシステム容量を改善する、及び受信データの誤った復号を防止するなどの有益な特徴が生じる。
【００１０】
図１は、本発明の多様な実施形態を組み込む一方で、符号分割多元接続（ＣＤＭＡ）通信システム規格のどれかに従って動作することができる通信システム１００の一般的なブロック図を描いている。通信システム１００は音声、データまたは両方の通信用であってよい。概して、通信システム１００は、移動局１０２から１０４などの多くの移動局の間、及び移動局１０２から１０４と公衆電話（ｐｕｂｌｉｃ  ｓｗｉｔｃｈ  ｔｅｌｅｐｈｏｎｅ）とデータネットワーク１０５の間に通信リンクを提供する基地局１０１を含む。本発明の主要な範囲及び多様な優位点から逸脱することなく、図１の移動局はデータアクセス端末（ＡＴ）と、基地局はデータアクセスネットワーク（ＡＮ）と呼ばれてよい。基地局１０１は、基地局コントローラと基地局トランシーバシステムなどの多くの構成要素を含んでよい。簡単にするために、このような構成要素は図示されていない。基地局１０１は、例えば基地局１６０などの他の基地局と通信してよい。移動交換局（図示されていない）は通信システム１００の多様な動作態様を、ネットワーク１０５と基地局１０１と１６０の間のバックホール１９９に関連して制御してよい。
【００１１】
基地局１０１は、基地局１０１から送信される順方向リンク信号を介してカバレージエリア内にある各移動局と通信する。移動局１０２から１０４を対象とする順方向リンク信号が合計され、順方向リンク信号１０６を形成する。順方向リンク信号１０６を受信する移動局１０２から１０４のそれぞれは順方向リンク信号１０６を復号し、そのユーザを対象にした情報を抽出する。基地局１６０は、基地局１６０から送信される順方向リンク信号を介してカバレージエリア内にある移動局と通信してもよい。移動局１０２から１０４は対応する逆方向リンクを介して基地局１０１と１６０と通信する。各逆方向リンクは、それぞれ移動局１０２から１０４について逆方向リンク信号１０７から１０９などの逆方向リンク信号により維持される。逆方向リンク信号１０７から１０９は、１つの基地局を対象としてよいが、他の基地局で受信されてよい。
【００１２】
基地局１０１と１６０は共通の移動局に同時に通信してよい。例えば、移動局１０２は、基地局１０１と１６０の両方との通信を維持できる基地局１０１と１６０にきわめて接近してよい。順方向リンクでは、基地局１０１は順方向リンク信号１０６上で送信し、基地局１６０は順方向リンク信号１６１上で送信する。逆方向リンクでは、移動局１０２は両方の基地局１０１と１６０によって受信される逆方向リンク信号１０７で送信する。データのパケットを移動局１０２に送信するために、基地局１０１と１６０の１つが選択され、データのパケットを移動局１０２に送信してよい。逆方向リンクでは、基地局１０１と１６０の両方とも移動局１０２からトラヒックデータ伝送を復号しようとしてよい。
【００１３】
通信システム１００は、多様なチャネルの適切な復号のためにパイロットチャネルの使用を利用してもよい。パイロットチャネルは一連の所定のデータを含む。受信機はパイロットチャネルを受信し、伝搬チャネルの多様な特性を決定する。特性の１つはパイロットチャネルの搬送波対干渉比（Ｅｃ／Ｉｏ）であってよい。パイロットチャネルは他の受信チャネルを復号するために使用されてよい。順方向リンクと逆方向リンクはパイロットチャネルを有してよい。順方向リンク上、基地局はそのカバレージエリア内のすべての移動局のためのパイロットチャネルを送信してよい。逆方向リンクでは、各移動局は逆方向リンクチャネルをパイロットチャネルと結合してよい。
【００１４】
図２は、本発明の多様な態様に従って受信されたＣＤＭＡ信号を処理し、復調するために使用される受信機２００のブロック図を示す。受信機２００は、逆方向リンク信号と順方向リンク信号上で情報を復号するために使用されてよい。受信された（Ｒｘ）サンプルはＲＡＭ２０４に記憶されてよい。受信サンプルは無線周波数／中間周波数（ＲＦ／ＩＦ）システム２９０およびアンテナシステム２９２により生成される。ＲＦ／ＩＦシステム２９０及びアンテナシステム２９２は、複数の信号を受信するための１つ以上の構成要素、及び受信ダイバーシティ利得を利用するための受信信号のＲＦ／ＩＦ処理を含んでよい。例えば、ＲＦ／ＩＦシステム２９０は、それぞれが受信機チェーンであるとみなされるＲＦ／ＩＦシステム２９０Ａと２９０Ｂを含んでよい。２つ以上の受信機チェーンが使用されてもよい。アンテナシステム２９２のそれぞれの要素はＲＦ信号を受信し、ＲＦ／ＩＦシステム２９０内の受信機チェーンに受信されたＲＦ信号を渡す。ＲＦ／ＩＦシステム２９０は従来のＲＦ／ＩＦ受信機であってよい。ＲＦ／ＩＦシステム２９０は、「ゼロ」中間周波数（ＺＩＦ）受信機であってよい。受信されたＲＦ信号は濾波され、ダウンコンバートされ、デジタル化されて、ベースバンド周波数でのＲＸサンプルを形成する。サンプルはマルチプレクサ（ｍｕｘ）２０２に供給される。ｍｕｘ２０２の出力はサーチャ装置２０６とフィンガ要素２０８に供給される。制御システム２１０はそこに結合される。コンバイナ２１２はデコーダ２１４をフィンガ要素２０８に結合する。制御システム２１０はソフトウェアによって制御されるマイクロプロセッサであってよく、同じ集積回路上または別個の集積回路上に位置してよい。デコーダ２１４の復号関数はターボデコーダまたは他の適切な復号アルゴリズムに従ってよい。
【００１５】
動作中、受信されたサンプルはｍｕｘ２０２に供給される。Ｍｕｘ２０２は、サンプルをサーチャ装置２０６とフィンガ要素２０８に供給する。制御システム２１０は、サーチャ装置２０６からの検索結果に基づいてさまざまな時間オフセットで、受信された信号の復調及び逆拡散を実行するようにフィンガ要素２０８を構成する。チャネルの逆拡散は、単一のタイミング仮説でＰＮシーケンスと割り当てられたウォルシュ関数の複雑な共役で受信されたサンプルを乗算し、多くの場合集積回路及びダンプアキュムレータ回路（図示されていない）で、結果として生じるサンプルをデジタルで濾波することにより実行される。このような技法は当技術分野で一般的に知られている。サーチャ２０６は、Ｅｃ／Ｉｏを求めるなどチャネル状態を決定するためにパイロットチャネルを復号してよい。送信側ソースのパイロットチャネルのＥｃ／Ｉｏが閾値を超えると、制御システム２１０は同じソースから他の受信チャネルを処理するためにフィンガ要素２０８を割り当てることを決定してよい。移動局では、基地局の多様なリストと適切なパイロットチャネルＥｃ／Ｉｏが保たれる。リストは基地局のアクティブリスト、基地局の候補リスト、基地局の近傍リスト及び基地局の残りのリストを含んでよい。基地局のリストは受信されたＥｃ／Ｉｏレベルに従って編成されてよい。アクティブリストの中の基地局は最強の受信Ｅｃ／Ｉｏを有する。アクティブリストの中の基地局は任意の時点で移動局と通信できる。また、移動局はページメッセージを受信するためのアクティブセット基地局も監視する。移動局はページメッセージを受信するためのページングチャネルを監視してよい。アクティブセット基地局のページングチャネルは監視されてよい。本発明の多様な態様に従って、制御システム２１０は、ページングチャネルを含む受信チャネルを処理するために使用される受信ダイバーシティを制御する。受信ダイバーシティは、受信チャネルを復号するためにＲＦ／ＩＦシステム２９０で使用される受信機チェーンの数を選択する制御システム２１０により制御される。受信ダイバーシティの規模は選択された受信機チェーンの数に関係してよい。大規模な受信ダイバーシティは大多数の受信機チェーンを使用することを参照してよい。例えば、４つの受信機チェーンが使用可能であるとき、受信ダイバーシティの規模は１つの受信機チェーンの使用から４つの受信機チェーンの使用に及んでよい。受信ダイバーシティが使用されないとき、受信チャネルを処理するためにはただ１つの受信機チェーンが使用されてよい。受信機２００は移動局に組み込まれ、通信システム１００内での使用のために構成されてよい。
【００１６】
受信ダイバーシティを使用するプロセスは、受信された信号を結合することを含んでよい。複数の受信された信号は、最大率結合（ｍａｘｉｍａｌ−ｒａｔｉｏ  ｃｏｍｂｉｎｉｎｇ）（ＭＲＣ）及び最小平均平方誤差（ＭＭＳＥ）などの一般的に知られている結合プロセスのどれかに従って結合されてよい。時間結合、空間結合、または両方の組み合わせが結合プロセスに使用されてよい。時間結合においては、さまざまな伝搬経路を通して受信される信号が結合される。空間結合においては、さまざまなアンテナで受信され、同じ経路を通って伝搬される信号が結合される。受信機２００では、復調の結果は受信ダイバーシティプロセスに従って結合され、結合された結果はデコーダ２１４に渡される。デコーダ２１４はデータを復号し、復号されたデータを出力する。受信機２００は、移動局から受信された逆方向リンク信号を処理するために基地局１０１と１６０の受信機部分で、及び受信された順方向リンク信号を処理するために移動局のどれかの受信機部分で使用されてよい。フレームまたはパケット誤り率などの受信されたチャネルの性能は、受信機２００の受信ダイバーシティを制御するためにデコーダ２１４から制御システム２１０に通信されてよい。例えば、パケット誤り率が増加すると、受信ダイバーシティがオンにされてよい、あるいは受信ダイバーシティの規模が強化されてよい。
【００１７】
図３は、逆方向リンク信号及び順方向リンク信号を送信するための送信機３００のブロック図を示す。伝送のためのチャネルデータは、変調のために変調器３０１に入力される。チャネルデータはページングチャネルデータであってよい。ページングチャネルデータは、一般的なページメッセージまたはチャネル割り当てメッセージであってよい。変調は、ＱＡＭ、ＰＳＫ、またはＢＰＳＫなどの一般的に既知の変調のどれかに従ってよい。データは変調器３０１内でのデータレートで符号化される。データレートは、データレート及び電力レベルセレクタ３０３により選択されてよい。データレート選択は受信側宛先から受信されるフィードバック情報に基づいてよい。受信側宛先は移動局または基地局であってよい。フィードバック情報は最大可能データレートを含んでよい。最大可能データレートは多様な一般的に既知のアルゴリズムに従って決定されてよい。最大可能データレートは、非常に多くの場合、他の考えられる要因の内、チャネル状態に基づいている。データレート及び電力レベルセレクタ３０３は、相応して変調器３０１内でデータレートを選択する。変調器３０１の出力は信号拡散動作を通過し、アンテナ３０４からの伝送のためにブロック３０２内で増幅される。データレート及び電力レベルセレクタ３０３は、フィードバック情報に従って送信された信号の増幅レベルのための電力レベルも選択する。選択されたデータレートと電力レベルの組み合わせにより、受信側宛先での送信データの適切な復号が可能になる。送信電力レベルは、所定範囲内で制限されてよい。送信電力範囲は下限と上限を有してよい。送信電力範囲の下限は、チャネル状態が突然悪化した場合にフィードバック情報で電力を増加させることができる速度に基づいてよい。送信電力上限は、送信機が単一の受信機に割り当てる用意がある電力資源の最大量に基づいてよい。
【００１８】
パイロット信号はブロック３０７で生成されてもよい。パイロット信号は、ブロック３０７で適切なレベルまで増幅される。パイロット信号電力レベルは、受信側宛先でのチャネル状態に従ってよい。パイロット信号は、コンバイナ３０８内のチャネル信号と結合される。結合された信号は増幅器３０９で増幅され、アンテナ３０４から送信される。アンテナ３０４は、アンテナアレイ及び複数入力複数出力構成を含む任意の数の組み合わせであってよい。
【００１９】
図４は、宛先との通信リンクを維持するために受信機２００と送信機３００を組み込むためのトランシーバシステム４００の一般ブロック図を示す。トランシーバ４００は移動局または基地局に組み込まれてよい。プロセッサ４０１は、受信されたデータ及び送信されたデータを処理するために受信機２００と送信機３００に結合されてよい。受信機２００と送信機３００が別個に示されているとしても、受信機２００と送信機３００の多様な態様は共通でよい。ある態様では、受信機２００と送信機３００は、ＲＦ／ＩＦ受信及び送信のために共通の局所発振器と共通のアンテナシステムを共用してよい。
【００２０】
送信側では、送信データ処理ブロック４０３が送信チャネル上での送信のためにデータを用意する。送信機３００は入力４０５で伝送のためのデータを受信し、アンテナシステムからデータを送信する。受信側では、受信されたデータが復号された後、復号されたデータが入力４０４でプロセッサ４００で受信される。受信されたデータはプロセッサ４０１の受信データ処理ブロック４０２で処理される。プロセッサ４０１の多様な動作は、単一の処理装置または複数の処理装置に統合されてよい。トランシーバ４００は別の装置に接続されてよい。トランシーバ４００は、装置の一体化した一部であってよい。装置はコンピュータであってよい、あるいはコンピュータに類似して動作してよい。装置は、インターネットなどのデータネットワークに接続されてよい。基地局にトランシーバ４００を組み込むケースでは、基地局は複数の接続を通してインターネットなどのネットワークに接続されてよい。
【００２１】
移動局と基地局間での通信リンクの確立は、ページングチャネルに関してのメッセージの所定のセットの通信に従ってよい。メッセージの１つ以上は、複数回送信されてよい。各メッセージが送信されてよい回数は、本発明の多様な態様に従って、受信側移動局が受信ダイバーシティを使用するかどうかに基づいてよい。図５を参照すると、基地局と移動局の間でメッセージのフローを通信するためのステップ５００の例示的なセットが示されている。メッセージのフローは、図示されるように、通信システム１００内の移動局と基地局間のトラヒックチャネル上で通信リンクを確立するためである場合がある。ステップ５０１では、基地局は移動局に一般的なページメッセージを送信し、移動局に入信呼を知らせる。ページメッセージはページングチャネルに関して送信される。移動局は、その電池寿命を節約するために、十中八九、通信のこのような段階中スロットモードで動作する。
【００２２】
移動局は、クイックページングチャネル（ＱＰＣＨ）を監視するために所定の割り当てられた期間内で周期的に止まり、目を覚ましてよい。ＱＰＣＨが移動局向けのメッセージの可能性を示すと、移動局はそのリソースに、割り当てられたページングチャネル、放送共通チャネルまたは共通制御チャネルを監視するように命令する。命令されたチャネルは移動局に他のチャネルを処理するように命令する詳細なメッセージを搬送してよい。ＱＰＣＨは、移動局に命令されたページの指示を搬送する。ＱＰＣＨの伝送は送信機のカバレージエリア内の可能な限り多くの移動局に到達するために所定の電力レベルであってよい。したがって、ＱＰＣＨ及び他の同様なチャネルは、電力制御方式を利用しなくても送信されてよい。ＱＰＣＨ内のデータは、異なるときにページング表示を受信するために２つのグループの移動局のためにハッシュされてよい。第１のグループの移動局はＱＰＣＨを受信するためにある期間中に目を覚まし、第２のグループは別の期間に目を覚ます。結果として、移動局は完全な機能性を維持しつつ電池電力を節約できる。
【００２３】
ＱＰＣＨは移動局に命令するために単一のビットメッセージを含む。移動局が、例えば、その割り当てられた期間中にメッセージなしを示す「ゼロ」を検出すると、移動局は次に割り当てられた期間までスリープに戻ってよい。移動局が、例えばページを示す「１」を検出すると、移動局はページングチャネルなどの他の関連するチャネルを監視するためにそのリソースを割り当てる。受信ダイバーシティはＱＰＣＨ内のページング表示ビットを復号するために有益である。
【００２４】
参照してここに組み込まれる指定出願番号第１０／０７９，９５６号で２００２年２月１９日に出願された、通信システム内の受信ダイバーシティのための方法及び装置（Ｍｅｔｈｏｄ  ａｎｄ  Ａｐｐａｒａｔｕｓ  ｆｏｒ  Ｒｅｃｅｉｖｅ  Ｄｉｖｅｒｓｉｔｙ  ｉｎ  ａ  Ｃｏｍｍｕｎｉｃａｔｉｏｎ  Ｓｙｓｔｅｍ）と題される出願においては、通信システムの受信ダイバーシティのための方法及び装置が開示されている。参照してここに組み込まれる２００２年４月５日に出願された、指定出願番号第１０／１１７，８９３号の移動局の受信ダイバーシティを決定するための方法及び装置（Ｍｅｔｈｏｄ  ａｎｄ  Ａｐｐａｒａｔｕｓ  ｆｏｒ  Ｄｅｔｅｒｍｉｎｉｎｇ  Ｒｅｃｅｉｖｅ  Ｄｉｖｅｒｓｉｔｙ  ｉｎ  Ｍｏｂｉｌｅ  Ｓｔａｔｉｏｎ）と題される別の出願においては、通信システム内の受信ダイバーシティのための方法及び装置が開示されている。クイックページングチャネル（ＱＰＣＨ）を復号するための通信システム１００においては、受信機が移動局で受信されるパイロットチャネルのチャネル状態を決定する。制御システム２１０またはプロセッサ４０１は、決定されたチャネル状態に基づいて受信ダイバーシティについて受信機内の複数の受信機チェーン２９０の数を求めることにより、移動局の受信機２００での受信ダイバーシティを決定する。受信機は、決定された受信ダイバーシティに基づいて発生した１つ以上の信号の処理に従って移動局で受信されるＱＰＣＨのデータビットを求める。したがって、移動局は、ページングチャネルなどの方向付けられた信号を復号するとき受信ダイバーシティを使用している可能性がある。結果として、ステップ５０１で送信されるページメッセージの受信は、移動局での受信ダイバーシティの使用を介してよい。送信側基地局は、移動局がページングチャネル復号時に受信ダイバーシティを使用しているかどうかについての情報を有している可能性がある。
【００２５】
図５を参照すると、ステップ５０２で基地局は移動局から一般的なページ応答メッセージを受信するためにある時間期間待機する。待機期間が期限切れになると、基地局は、ステップ５０３で一般的なメッセージを移動局に再送する。基地局は、移動局から一般ページ応答メッセージを受信する前に数回メッセージを再送してよい。基地局は例えば４回から７回など所定の回数ページメッセージの送信を繰り返してよい。しかしながら、移動局は一般的なページメッセージを受信するために受信ダイバーシティを使用している可能性がある。受信ダイバーシティはＱＰＣＨの復号に基づき有効にされた可能性がある。移動局は、所定の構成に基づいて受信ダイバーシティをオンにしてもよい。基地局は、移動局が一般的なページメッセージを受信するために受信ダイバーシティを使用しているかどうかに基づいて、一般的なページメッセージの伝送の回数を制限してよい。伝送の回数は、ページチャネルを復号するために受信ダイバーシティを使用しない移動局より、受信ダイバーシティを使用している移動局について少ない可能性がある。移動局が、多くの不利なチャネル状態のためにメッセージを復号しない可能性がある。しかしながら、移動局が受信ダイバーシティを使用しているとき、移動局で一般的なページメッセージを受信する確率は大いに高くなる。このように、基地局は、ページングチャネルに関して一般的なページメッセージを受信するために受信ダイバーシティを使用している移動局に対して許される伝送の回数についてさらに低い限度を設定してよい。
【００２６】
ステップ５０４では、基地局は一般的なページメッセージに応えて移動局からページ応答メッセージを受信してよい。ステップ５０５で、基地局は移動局のために順方向リンクトラヒックチャネルをセットアップする。基地局は、移動局が順方向リンクトラヒックチャネルを獲得するまで順方向リンクトラヒックチャネル上でヌルデータを送信してよい。ステップ５０６で、基地局はページングチャネルに関して移動局にチャネル割り当てメッセージを送信する。チャネル割り当てメッセージは、基地局と移動局間にトラヒックチャネル通信リンクを確立することについての情報を含む。チャネル割り当てメッセージは複数回連続して、あるいは時間で離間されて移動局に送信されてよい。ステップ５０７で、たとえ移動局がステップ５０６で送信されたチャネル割り当てメッセージを受信した可能性があったとしても、メッセージは再び移動局に送信される。移動局が受信ダイバーシティオプションを使用している場合、移動局は第１の伝送でチャネル割り当てメッセージを受信してよい。本発明の多様な態様に従って、基地局は、受信ダイバーシティを使用していない移動局より、受信ダイバーシティを使用している移動局について少ない回数に、ページングチャネルに関してのチャネル割り当てメッセージの伝送の回数を制限してよい。ステップ５０８では、移動局は順方向リンクトラヒックチャネルでヌルデータを受信する。ステップ５０９で、移動局は逆方向リンクチャネルでプリアンブルデータの送信を開始する。移動局と基地局の間にトラヒックチャネル通信を確立するためのプロセスは、他のステップを含んでよい。
【００２７】
本発明の多様な態様に従って、通信システム１００の受信ダイバーシティは、受信機チェーン２９０などの複数の受信機チェーンを含む、受信機２００などの受信機について決定されてよい。制御システム２１０またはプロセッサ４０１などの制御システムは、複数の受信機チェーン２９０の回数を選択することにより受信機２００の受信ダイバーシティを制御する。送信機３００は、受信ダイバーシティを有効にした移動局などの受信局において受信機２００かどうかに基づいてページングチャネルに関してメッセージが送信される回数も制限してよい。
【００２８】
本発明の多様な態様は、流れ図６００を参照することによりさらに明らかになってよい。ステップ６０１で、基地局コントローラはページングチャネルに関してメッセージを受信するために移動局を選択してよい。メッセージは一般的なページメッセージであってよい。基地局コントローラは、ステップ６０２で、移動局が受信ダイバーシティを使用しているかどうかを判断してよい。さらにまたは代わりに、メッセージは移動局からページ応答メッセージを受信した後、チャネル割り当てメッセージであってよい。移動局による受信ダイバーシティの使用は、移動局から応答を受信する前に必要とされた一般的なページメッセージの伝送回数に基づいて決定されてよい。代わりにまたはさらに、基地局はページングチャネルに関して受信するために、受信ダイバーシティを使用する移動局の記録を取ってよい。基地局コントローラは記録を使用して、ページングチャネルに関して受信するために、移動局が受信ダイバーシティを使用しているかどうかを決定してよい。ステップ６０３で、メッセージがページングチャネルに関して移動局に送信される回数が、移動局が受信ダイバーシティを使用するかどうかに基づいて求められる。伝送の回数はダイバーシティの規模に関して求められてよい。ステップ６０４では、基地局は、求められた回数になるまで移動局にメッセージを送信する。メッセージが一般的なページメッセージである場合には、基地局は、移動局からページ応答メッセージを受信するための時間を可能にするために各伝送の間、ある期間待機する。ページ応答が受信されないと、ページ応答メッセージの伝送はステップ６０３で求められる回数になるまで繰り返される。メッセージがチャネル割り当てメッセージである場合には、メッセージは求められた回数になるまで連続して多くの回数送信されてよい。一般的なページメッセージ及びチャネル割り当てメッセージの伝送について求められた回数は異なってよい。
【００２９】
基地局は、移動局が受信ダイバーシティを使用しているかどうかについての情報を有さない場合がある。本発明の多様な態様に従って、チャネル割り当てメッセージが移動局に送信される回数は、ページ応答メッセージを受信する前に一般的なページメッセージが移動局に送信される回数に基づいている。本発明の多様な態様は、図７に図示される流れ図７００を参照することによりさらに明らかになる場合がある。ステップ７０１では、基地局コントローラはページングチャネルに関して一般的なページメッセージを受信するために移動局を選択してよい。ステップ７０２では、一般的なページメッセージの伝送は、ページ応答メッセージが移動局から受信されるまで多くの回数繰り返されてよい。移動局は受信ダイバーシティを使用している可能性がある。結果として、一般的なページメッセージ上での伝送の回数は、受信ダイバーシティを使用しない移動局より受信ダイバーシティを使用する移動局について少なくなる可能性がある。さらに、移動局は基地局からの伝送を受信するために都合のよいチャネル状態を生じさせる都合のよい場所にあってよい。したがって、一般的なページメッセージの送信の数が、本発明の多様な態様に従って、チャネル割り当てメッセージが送信される回数を決定してよい。ステップ７０３では、チャネル割り当てメッセージが移動局に送信される最大回数が、一般的なページメッセージが送信される回数に基づいて求められる。例えば、ページ応答メッセージが一般的なページメッセージを三回送信した後に受信されると、チャネル割り当てメッセージは最高六回送信される。ステップ７０４では、チャネル割り当てメッセージは、求められた回数になるまで移動局に送信される。当業者は、ここに開示されている実施形態に関連して説明される多様な例示的な論理ブロック、モジュール、回路及びアルゴリズムステップが、電子ハードウェア、コンピュータソフトウェア、または両方の組み合わせとして実現されてよいことをさらに理解するであろう。ハードウェアとソフトウェアのこの互換性を明確に示すために、多様な例示的な構成要素、ブロック、モジュール、回路及びステップがその機能性に関して概して前述されてきた。このような機能性がハードウェアとして実現されるのか、あるいはソフトウェアとして実現されるのかは、特定のアプリケーション、及び全体的なシステムに課される設計制限に依存する。当業者は、それぞれの特定のアプリケーションについて変化する方法で説明される機能性を実現してよいが、このような実施の決定は、本発明の範囲からの逸脱を引き起こすとして解釈されてはならない。
【００３０】
ここに開示されている実施形態に関連して説明される多様な例示的な論理ブロック、モジュール及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理装置、離散ゲートまたはトランジスタロジック、離散ハードウェア構成要素、あるいはここに説明されている機能を実行するために設計されたその任意の組み合わせで実現される、あるいは実行されてよい。汎用プロセッサはマイクロプロセッサでよいが、代わりにプロセッサは任意の従来のプロセッサ、コントローラ、マイクロコントローラ、または状態機械であってよい。また、プロセッサは、例えばＤＳＰとマイクロプロセッサ、複数のマイクロプロセッサ、ＤＳＰコアを伴った１台以上のマイクロプロセッサの組み合わせなどのコンピューティング装置の組み合わせ、あるいは他のこのような構成の組み合わせとして実現されてもよい。
【００３１】
ここに開示される実施形態に関連して説明される方法またはアルゴリズムのステップは、ハードウェア内で直接的に、プロセッサにより実行されるソフトウェアモジュール内で、あるいはその組み合わせで具現化されてよい。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で既知の他の形式の記憶媒体に常駐してよい。例示的な記憶媒体は、プロセッサが記憶媒体から情報を読み取り、記憶媒体に情報を書き込むことができるようにプロセッサに結合される。代替策では、記憶媒体はプロセッサに一体化してよい。プロセッサ及び記憶媒体はＡＳＩＣに常駐してよい。ＡＳＩＣはユーザ端末に常駐してよい。代替策では、プロセッサ及び記憶媒体はユーザ端末内の離散構成要素として常駐してよい。
【００３２】
好適な実施形態の前記説明は、任意の当業者が本発明を作るまたは使用することができるように提供される。これらの実施形態に対する多様な変型は当業者にとって容易に明らかになり、ここに定義されている一般原則は本発明の機能を使用せずに他の実施形態に適用されてよい。したがって、本発明はここに図示される実施形態に制限されるのではなく、ここに開示されている原則と新規特徴に一致する最も広い範囲を与えられなければならない。
【図面の簡単な説明】
【００３３】
【図１】本発明の多様な実施形態に従って動作できる通信システムを示す図である。
【図２】本発明の多様な態様に従って受信データを受信し、復号するための通信システム受信機を示す図である。
【図３】本発明の多様な態様に従ってデータパケットを送信するための通信システム送信機を示す図である。
【図４】本発明の多様な実施形態に従って動作できるトランシーバシステムを示す図である。
【図５】移動局と基地局の間で通信されるメッセージの流れ図を示す図である。
【図６】本発明の多様な態様に従ってページングチャネルに関してメッセージが送信される回数を決定するための流れ図を示す図である。
【図７】本発明の多様な態様に従ってチャネル割り当てメッセージがページングチャネルに関して送信される回数を決定するための流れ図を示す図である。
【図１】
2005528864.tif 000003
【図２】
2005528864.tif 000004
【図３】
2005528864.tif 000005
【図４】
2005528864.tif 000006
【図５】
2005528864.tif 000007
【図６】
2005528864.tif 000008
【図７】
2005528864.tif 000009
【国際調査報告】
2005528864.tif 000010
2005528864.tif 000011
2005528864.tif 000012